【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
光源から出射する複数の光束を主走査方向に沿って被走査面を光走査する光走査装置において、ｍ（但し、ｍ≧１）個の発光部をもつ２ｎ（但し、ｎ≧１）個の光源部と、
前記各光源部からの（ｍ×ｎ）個の光束が回転中心に対して対向して入射する光偏向器と、
２ｎ（但し、ｎ≧１）個の前記光源部に対応する２ｎ（但し、ｎ≧１）個の被走査面と、前記発光部のｍ（但し、ｍ≧１）個の光束を前記光偏向器に対して対向するように配置される２ｎ（但し、ｎ≧１）個の前記被走査面にそれぞれ結像させる走査レンズ系と、
２ｎ（但し、ｎ≧１）個の前記被走査面上の書込幅中心と前記光偏光器の回転中心が一直線上に並ぶように配置して前記光偏向器の偏向光束を走査光束の書き込みタイミングを決定する同期光束として受光する同期受光手段を備え、
前記走査レンズ系は、少なくとも一面は副走査断面内の曲率中心を主走査断面内で結ぶ線が非直線である特殊トーリック面を有し、前記特殊トーリック面の副走査断面内の曲率の主走査方向に沿う変化を前記走査レンズ面の光軸に対して非対象に備えることを特徴とする光走査装置。
【請求項２】
請求項１に記載の光走査装置において、
前記光源部は、複数の前記発光部が１列に配列される半導体レーザーアレイを備えることを特徴とする光走査装置。
【請求項３】
請求項１または２に記載の光走査装置において、
前記光偏向器の走査光学系は、主走査方向において被走査面上の光スポットを等速的に光走査させる機能を備えることを特徴とする光走査装置。
【請求項４】
請求項１、２または３に記載の光走査装置において、
前記光偏向器の走査光学系は、副走査方向において前記光偏向器の面倒れを補正する機能を備えることを特徴とする光走査装置。
【請求項５】
請求項１ないし４のいずれか一項に記載の光走査装置において、
前記走査レンズ系は、１以上の走査レンズＬからなる走査レンズ系の前記光偏向器から近い順の走査レンズＬ１、Ｌ２、・・・Ｌｊ（ｊ＝１．２、・・・）と前記光偏向器の回転中心に対して前記走査レンズ系と対向する１以上の走査レンズＭからなる他の走査レンズ系の前記光偏向器から近い順の走査レンズＭ１、Ｍ２、・・・Ｍｊ（ｊ＝１．２、・・・）の任意のｊにおいて、形状が同一の前記走査レンズＬｊと前記走査レンズＭｊを備えることを特徴とする光走査装置。
【請求項６】
請求項１ないし５のいずれか一項に記載の光走査装置において、
前記走査レンズ系は、アナモフィックな面を備えることを特徴とする光走査装置。
【請求項７】
請求項１ないし６のいずれか一項に記載の光走査装置において、
前記走査レンズ系は、１枚で構成される前記走査レンズを備えることを特徴とする光走査装置。
【請求項８】
請求項１ないし７のいずれか一項に記載の光走査装置において、
前記走査レンズ系は、樹脂で成形される前記走査レンズを備えることを特徴とする光走査装置。
【請求項９】
請求項１ないし８のいずれか一項に記載の光走査装置において、
前記走査レンズ系は、被走査面の法線に対して傾いている光軸を有する前記走査レンズを少なくとも１枚を備えることを特徴とする光走査装置。
【請求項１０】
請求項１ないし９のいずれか一項に記載の光走査装置において、
前記同期受光手段は、書き込みタイミングの決定に用いる前記走査レンズ系を通過しない同期光束を備えることを特徴とする光走査装置。
【請求項１１】
請求項１ないし１０のいずれか一項に記載の光走査装置において、
前記光束は、前記光偏向器の反射面の法線に対して副走査方向に角度を備えることを特徴とする光走査装置。
【請求項１２】
光源から出射する複数の光束を主走査方向に沿って被走査面を走査して画像を形成する光書込装置において、
前記請求項１ないし１１のいずれか一項に記載の前記光走査装置と、
前記光走査装置で前記被走査面を光走査して画像を書き込む画像書込手段を備えることを特徴とする光書込装置。
【請求項１３】
請求項１２に記載の光書込装置において、
前記光走査装置は、副走査方向に複数個を重ねて備えることを特徴とする光書込装置。
【請求項１４】
請求項１３に記載の光書込装置において、
副走査方向に重ねる前記各光走査装置は、共通の回転軸を有する前記光偏向器を備えることを特徴とする光書込装置。
【請求項１５】
請求項１３または１４に記載の光書込装置において、
副走査方向に重ねる前記各光走査装置は、前記光偏向器の同位相面に入射する上下段の光束の主走査方向における異なる入射角を備えることを特徴とする光書込装置。
【請求項１６】
請求項１３ないし１５のいずれか一項に記載の光書込装置において、
副走査方向に重ねる前記各光走査装置は、前記光偏向器の同位相面に入射する上下段の光束の主走査方向に偏向される異なる反射点を備えることを特徴とする光書込装置。
【請求項１７】
請求項１２に記載の光書込装置において、
２個の前記光走査装置は、主走査平面が同一となるように並列に配置して備えることを特徴とする光書込装置。
【請求項１８】
被記録媒体に記録画像を形成する画像形成装置において、
前記請求項１ないし１１のいずれか一項に記載の前記光走査装置または前記請求項１２ないし１７のいずれか一項に記載の前記光書込装置と、
前記光走査装置または前記光書込装置により被記録媒体に記録画像を形成する画像形成ユニットを備えることを特徴とする画像形成装置。
【請求項１９】
被記録媒体にカラーの記録画像を形成する画像形成装置において、
前記請求項１ないし１１のいずれか一項に記載の前記光走査装置または前記請求項１２ないし１７のいずれか一項に記載の前記光書込装置と、
前記光走査装置または前記光書込装置により被記録媒体にカラーの記録画像を形成する画像形成ユニットを備えることを特徴とする画像形成装置。
【手続補正２】
【補正対象書類名】明細書
【補正対象項目名】０００６
【補正方法】変更
【補正の内容】
【０００６】
上記課題を解決するため、本発明における光走査装置は、光源から出射する複数の光束を主走査方向に沿って被走査面を光走査する光走査装置において、ｍ（但し、ｍ≧１）個の発光部をもつ２ｎ（但し、ｎ≧１）個の光源部と、前記各光源部からの（ｍ×ｎ）個の光束が回転中心に対して対向して入射する光偏向器と、２ｎ（但し、ｎ≧１）個の前記光源部に対応する２ｎ（但し、ｎ≧１）個の被走査面と、前記発光部のｍ（但し、ｍ≧１）個の光束を前記光偏向器に対して対向するように配置される２ｎ（但し、ｎ≧１）個の前記被走査面にそれぞれ結像させる走査レンズ系と、２ｎ（但し、ｎ≧１）個の前記被走査面上の書込幅中心と前記光偏光器の回転中心が一直線上に並ぶように配置して前記光偏向器の偏向光束を走査光束の書き込みタイミングを決定する同期光束として受光する同期受光手段を備え、前記走査レンズ系は、少なくとも一面は副走査断面内の曲率中心を主走査断面内で結ぶ線が非直線である特殊トーリック面を有し、前記特殊トーリック面の副走査断面内の曲率の主走査方向に沿う変化を前記走査レンズ面の光軸に対して非対象に備えることを特徴とする。
また、本発明における光走査装置は、前記光源部は、複数の前記発光部が１列に配列される半導体レーザーアレイを備えることを特徴とする。
また、本発明における光走査装置は、前記光偏向器の走査光学系は、主走査方向において被走査面上の光スポットを等速的に光走査させる機能を備えることを特徴とする。
また、本発明における光走査装置は、前記光偏向器の走査光学系は、副走査方向において前記光偏向器の面倒れを補正する機能を備えることを特徴とする。
また、本発明における光走査装置は、前記走査レンズ系は、１以上の走査レンズＬからなる走査レンズ系の前記光偏向器から近い順の走査レンズＬ１、Ｌ２、・・・Ｌｊ（ｊ＝１．２、・・・）と前記光偏向器の回転中心に対して前記走査レンズ系と対向する１以上の走査レンズＭからなる他の走査レンズ系の前記光偏向器から近い順の走査レンズＭ１、Ｍ２、・・・Ｍｊ（ｊ＝１．２、・・・）の任意のｊにおいて、形状が同一の前記走査レンズＬｊと前記走査レンズＭｊを備えることを特徴とする。
また、本発明における光走査装置は、前記走査レンズ系は、アナモフィックな面を備えることを特徴とする。
また、本発明における光走査装置は、前記走査レンズ系は、１枚で構成される前記走査レンズを備えることを特徴とする。
また、本発明における光走査装置は、前記走査レンズ系は、樹脂で成形される前記走査レンズを備えることを特徴とする。
また、本発明における光走査装置は、前記走査レンズ系は、被走査面の法線に対して傾いている光軸を有する前記走査レンズを少なくとも１枚を備えることを特徴とする。
また、本発明における光走査装置は、前記同期受光手段は、書き込みタイミングの決定に用いる前記走査レンズ系を通過しない同期光束を備えることを特徴とする。
また、本発明における光走査装置は、前記光束は、前記光偏向器の反射面の法線に対して副走査方向に角度を備えることを特徴とする。
また、本発明における光書込装置は、光源から出射する複数の光束を主走査方向に沿って被走査面を走査して画像を形成する光書込装置において、上記本発明における光走査装置と、前記光走査装置で前記被走査面を光走査して画像を書き込む画像書込手段を備えることを特徴とする。
また、本発明における光書込装置は、前記光走査装置は、副走査方向に複数個を重ねて備えることを特徴とする。
また、本発明における光書込装置は、副走査方向に重ねる前記各光走査装置は、共通の回転軸を有する前記光偏向器を備えることを特徴とする。
また、本発明における光書込装置は、副走査方向に重ねる前記各光走査装置は、前記光偏向器の同位相面に入射する上下段の光束の主走査方向における異なる入射角を備えることを特徴とする。
また、本発明における光書込装置は、副走査方向に重ねる前記各光走査装置は、前記光偏向器の同位相面に入射する上下段の光束の主走査方向に偏向される異なる反射点を備えることを特徴とする。
また、本発明における光書込装置は、２個の前記光走査装置は、主走査平面が同一となるように並列に配置して備えることを特徴とする。
また、本発明における画像形成装置は、被記録媒体に記録画像を形成する画像形成装置において、上記本発明における光走査装置または上記本発明における光書込装置と、前記光走査装置または前記光書込装置により被記録媒体に記録画像を形成する画像形成ユニットを備えることを特徴とする。
また、本発明における画像形成装置は、被記録媒体にカラーの記録画像を形成する画像形成装置において、上記本発明における光走査装置または上記本発明における光書込装置と、前記光走査装置または前記光書込装置により被記録媒体にカラーの記録画像を形成する画像形成ユニットを備えることを特徴とする。